(57)【特許請求の範囲】
【請求項１】
正面シート（４）と背面シート（５）との間に横マチシート（６）を配置したガゼットタイプの合成樹脂製シートからなる袋本体（２）を備えていて、袋本体（２）の下部は、袋本体（２）の下辺部（７）の方向に沿ってヒートシールした下部シール部（８）で略平面の袋底面を形成可能にして閉じられ、袋本体（２）の上部は、袋本体（２）の上辺部（９）に注出口栓（３）を取り付け、この注出口栓（３）の取付部分側から袋本体（２）の両側辺部に向けて下り傾斜した方向に沿ってヒートシールした上部シール部（１１）で略平面の袋天面を形成可能にして閉じられており、
前記注出口栓（３）の取付部分の両側には、前記上部シール部（１１）の部分から袋上方に向けて、正面シート（４）と背面シート（５）とこの両シート（４、５）の間に二つ折りして配置した横マチシート（６）とが重なってなるシート重ね合わせ部（１２）が延設されていて、注出口栓（３）の取り付け部分の両側の上辺部（９）と前記上部シール部（１１）との間に亘って、前記シート重ね合わせ部（１２）が位置しているガゼット袋（１）であって、
前記上部シール部（１１）に交差する位置での袋本体（２）の袋幅方向に亘って、前記正面シート（４）をＺ状に折り返して、重ね合わせた袋本体側シート（１５）と外方側シート（１７）とからなる手掛け帯状部（１３）を設け、該手掛け帯状部（１３）が袋本体（２）の外方に位置しており、
この手掛け帯状部（１３）の両端部側が前記シート重ね合わせ部（１２）に重なる部分それぞれにおいて、手掛け帯状部（１３）の袋本体側シート（１５）とシート重ね合わせ部（１２）の正面シート（４）と二つ折りの横マチシート（６）とに透孔（２０）が開口されて、前記透孔（２０）を通して手掛け帯状部（１３）の外方側シート（１７）とシート重ね合わせ部（１２）の背面シート（５）とをヒートシールして固定部（１９）が形成されていて、手掛け帯状部（１３）の両端部側それぞれが前記固定部（１９）に固定されていることを特徴とする手掛け付きガゼット袋。
【請求項２】
上記手掛け帯状部（１３）に取っ手（２３）が切り込み形成されている請求項１に記載の手掛け付きガゼット袋。
【請求項３】
上記袋本体側シート（１５）における手掛け帯状部基端部分と上記外方側シート（１７）における手掛け帯状部基端部分とが袋本体（２）の袋幅方向に亘ってヒートシールされ、袋本体（２）の内側と手掛け帯状部（１３）の内側とが区分されている請求項１または２に記載の手掛け付きガゼット袋。
【請求項４】
上記袋本体（２）の下部に取っ手（２５）が設けられている請求項１から３の何れか一項に記載の手掛け付きガゼット袋。
【請求項５】
上記袋本体（２）の上部の中央において対向する正面シート（４）と背面シート（５）との間に注出口栓（３）を位置させて溶着固定して取り付けられている請求項１から４の何れか一項に記載の手掛け付きガゼット袋。
【請求項６】
上記手掛け帯状部（１３）に、空気を封入した膨らみ部（２６）が手掛け帯状部（１３）の長手方向に沿って設けられている請求項１に記載の手掛け付きガゼット袋。
【発明の詳細な説明】
【技術分野】
【０００１】
本発明は合成樹脂製シートを所要部分で溶着した注出口栓を有する包装袋であって、手を掛けることのできる部分を有する合成樹脂製シートからなるガゼット袋に関するものである。
【背景技術】
【０００２】
従来から、正面シートと背面シートとの間に横マチシートを配置したガゼットタイプの合成樹脂製シートからなるガゼット袋があり、別成形の注出口栓を袋本体に取り付けて液体を収容する袋として多く流通している。そして、比較的に収容量が大きいガゼット袋にあっては持ち上げ易くする工夫が施されており、例えば特許文献１においては把手孔を備えたバッグインボックス用の内袋が示されている。この内袋では、収容部と区切られている袋本体の上部の両隅の三角状部分に把手孔を開口していて、内袋を外箱から取り出すときに前記把手孔に指を掛けて持ち上げるようにしたものであった。
【０００３】
また、特許文献２では、側面（マチの部分）のシートが底面となるように置いたときに注出口が上部に位置するように注出口を正面のシートや背面のシートに取り付けたバッグインボックス用の内袋が示されていて、この内袋においては袋本体の側辺を外方に延設し、その部分に手を掛けることのできる取っ手を設けたものである。
【０００４】
また、包装体の形態がガゼット袋ではなくスタンディングパウチタイプの包装袋ではあるが、この包装袋においても袋本体の正面側にその袋本体の正面シートを外方に折り出してなる部分を設け、その部分に開口を設けて取っ手を形成する工夫が、例えば特許文献３に示されている。
【先行技術文献】
【特許文献】
【０００５】
【特許文献１】特開２００３−１９１９６７号公報
【特許文献２】特開２００１−３４８０６５号公報
【特許文献３】特許第４６０１７６３号公報
【発明の概要】
【発明が解決しようとする課題】
【０００６】
上記特許文献１や特許文献２に示されているバッグインボックス用の内袋はこの内袋単体として使用した場合、形態がガゼットタイプであることから、ガゼット袋の特長である積載効率が良い点や自立性に優れている点で効果がある。
【０００７】
しかしながら、特許文献１の内袋の把手孔は、両手を掛けて内袋を上方に持ち上げるときに使用するものであり、手持ちで持ち上げた状態で注出口栓から収容物を注ぎ出すようにこの内袋を取り扱うことができない。
【０００８】
仮に片肩側の把手孔だけに手を掛けて持ち上げて注出を行なおうとしても、注出方向が下方に向かないため、袋本体をねじるようにして注出口栓の向きを定めなければならなくなり、注出の仕方が非常に難しくなる。
【０００９】
また、特許文献１及び特許文献２の内袋では、袋の正面や背面に注出口栓が取り付けられていることから、注出口栓が最下点となるように傾けて袋本体を絞るように変形をさせない限り収容物が注出口栓に集まり難く、注ぎ終わっても袋内に収容物が残る度合が高いという不具合がある。
【００１０】
一方、特許文献３に示されたスタンディングパウチの包装袋では上部に注出口栓が位置しているため、上述したような注出に際して収容物が残り易いという不具合はない。しかし、このスタンディングパウチの形態では底マチの中央部分のみが下方に下りているだけであるため、袋底部側では収容効率が低く、袋全体としても収容効率を高くすることができない。また、充填済みのスタンディングパウチを上下に積み重ねることができないという点がある。
【００１１】
そこで本発明は上記事情に鑑み、収容効率が良く積載も行なえるガゼット袋の利点を活かしつつ、このガゼット袋を手掛けして持ち上げて注出をし、収容物をスタンディングパウチ形態の収容袋の如く適切に注出が行なえるようにすることを課題とし、収容量が大きいガゼット袋であっても手持ちで持ち上げして注出ができ、注ぎ残りが生じ難いガゼット袋を提供することを目的とするものである。
【課題を解決するための手段】
【００１２】
（請求項１の発明）
本発明は上記課題を考慮してなされたもので、正面シート（４）と背面シート（５）との間に横マチシート（６）を配置したガゼットタイプの合成樹脂製シートからなる袋本体（２）を備えていて、袋本体（２）の下部は、袋本体（２）の下辺部（７）の方向に沿ってヒートシールした下部シール部（８）で略平面の袋底面を形成可能にして閉じられ、袋本体（２）の上部は、袋本体（２）の上辺部（９）に注出口栓（３）を取り付け、この注出口栓（３）の取付部分側から袋本体（２）の両側辺部に向けて下り傾斜した方向に沿ってヒートシールした上部シール部（１１）で略平面の袋天面を形成可能にして閉じられており、
前記注出口栓（３）の取付部分の両側には、前記上部シール部（１１）の部分から袋上方に向けて、正面シート（４）と背面シート（５）とこの両シート（４、５）の間に二つ折りして配置した横マチシート（６）とが重なってなるシート重ね合わせ部（１２）が延設されていて、注出口栓（３）の取り付け部分の両側の上辺部（９）と前記上部シール部（１１）との間に亘って、前記シート重ね合わせ部（１２）が位置しているガゼット袋（１）であって、
前記上部シール部（１１）に交差する位置での袋本体（２）の袋幅方向に亘って、前記正面シート（４）をＺ状に折り返して、重ね合わせた袋本体側シート（１５）と外方側シート（１７）とからなる手掛け帯状部（１３）を設け、該手掛け帯状部（１３）が袋本体（２）の外方に位置しており、
この手掛け帯状部（１３）の両端部側が前記シート重ね合わせ部（１２）に重なる部分それぞれにおいて、手掛け帯状部（１３）の袋本体側シート（１５）とシート重ね合わせ部（１２）の正面シート（４）と二つ折りの横マチシート（６）とに透孔（２０）が開口されて、前記透孔（２０）を通して手掛け帯状部（１３）の外方側シート（１７）とシート重ね合わせ部（１２）の背面シート（５）とをヒートシールして固定部（１９）が形成されていて、手掛け帯状部（１３）の両端部側それぞれが前記固定部（１９）に固定されていることを特徴とする手掛け付きガゼット袋を提供して、上記課題を解消するものである。
【００１３】
（請求項２の発明）
そして、本発明によれば、上記手掛け帯状部（１３）に取っ手（２３）が切り込み形成されていることが良好である。
【００１４】
（請求項３の発明）
また、本発明によれば、上記袋本体側シート（１５）における手掛け帯状部基端部分と上記外方側シート（１７）における手掛け帯状部基端部分とが袋本体（２）の袋幅方向に亘ってヒートシールされ、袋本体（２）の内側と手掛け帯状部（１３）の内側とが区分されていることが良好である。
【００１５】
（請求項４の発明）
また、本発明によれば、上記袋本体（２）の下部に取っ手（２５）が設けられていることが良好である。
【００１６】
（請求項５の発明）
また、本発明によれば、上記袋本体（２）の上部の中央において対向する正面シート（４）と背面シート（５）との間に注出口栓（３）を位置させて溶着固定して取り付けられていることが良好である。
【００１７】
（請求項６の発明）
また、本発明によれば、上記手掛け帯状部（１３）に、空気を封入した膨らみ部（２６）が手掛け帯状部（１３）の長手方向に沿って設けられていることが良好である。
【発明の効果】
【００１８】
（請求項１の発明の効果）
請求項１に係る発明によれば、袋本体の上部シール部に交差する位置にしてこの袋本体の正面シートを外方に折り出してなる手掛け帯状部を設け、この手掛け帯状部の両端部を上部シール部に連続するシート重ね合わせ部に固定しているので、注出口栓に近い位置で手掛け帯状部が配されたガゼット袋となり、両端部がシート重ね合わせ部に固定された手掛け帯状部と袋本体との間に手先が差し入れできる手掛けポケット部が得られ、手掛け帯状部の手掛けポケット部に手を掛けて持ち上げて注出口栓が下となるように袋全体を傾けることが簡単となる。
【００１９】
そして注出口栓と手掛けポケット部とが近いため、収容物を注ぎ出す注出口栓の位置や注出口栓の向きを手掛けした手で調整でき、安全に収容物の注出が行なえ、注ぎ終えたときにも収容物が袋本体内に残り難くなるという優れた効果を奏する。
【００２０】
（請求項２の発明の効果）
請求項２に係る発明によれば、手掛け帯状部に手先が掛かっている状態をより一層確実なものとすることができる。
【００２１】
（請求項３の発明の効果）
請求項３に係る発明によれば、手掛け帯状部の内側と袋本体の内側とが連続しないように簡単に区分することができる。
【００２２】
（請求項４の発明の効果）
請求項４に係る発明によれば、収容物を注出するときにガゼット袋をより一層簡単に傾けるようにすることができる。
【００２３】
（請求項５の発明の効果）
請求項５に係る発明によれば、注出口栓からの収容物の注ぎ出しに際し、その収容物が注出口栓の袋本体内に臨む流入口の部分に適正に集まるようになる。
【００２４】
（請求項６の発明の効果）
請求項６に係る発明によれば、手掛け帯状部に対して手先が掛かり易くなり、ガゼット袋を一層確実に支持することができるという効果を奏する。
【図面の簡単な説明】
【００２５】
【図１】本発明に係る手掛け付きガゼット袋の一例を正面シート側から見た状態で示す説明図である。
【図２】一例での収容物が充填された状態を斜視で示す説明図である。
【図３】一例の要部の断面を概略的に示す説明図である。
【図４】他の例を示す説明図である。
【図５】同じく他の例を示す説明図である。
【図６】モニター評価における収容袋を示す説明図である。
【発明を実施するための形態】
【００２６】
つぎに本発明を図１から図６に示す実施の形態に基づいて詳細に説明する。図中１は手掛け付きガゼット袋で、該ガゼット袋１は、片面をシーラント層とした積層構成の合成樹脂製シートからなる袋本体２とこの袋本体２の上部に取り付けられている注出口栓３とからなるものである。
【００２７】
（袋本体の下部）
袋本体２は、それぞれ同じ合成樹脂製シートである正面シート４と背面シート５との間に、袋幅方向での両側にマチとして前記シート４、５と同じ合成樹脂製シートとされた横マチシート６を二つ折りした状態で配置したガゼットタイプの袋体である。そして、袋本体２の下部は、該袋本体２の下辺部７の方向（袋幅方向）に沿ってヒートシールしてなる下部シール部８で閉じられており、収容物を充填したときに略平面として展開される袋底面が形成可能とされている。
【００２８】
また、袋本体２の下部では横マチシート６の展開を容易にするために傾斜した下部シール部８も設けられていて、この傾斜した部分で正面シート４と横マチシート６とがヒートシールされ、背面シート５と横マチシート６とがヒートシールされている。図２においては袋天面と袋底面が展開された充填時の状態を表現しているが、説明を容易にするために収容物については図示していない。
【００２９】
上記ヒートシールは合成樹脂製シートを重ね合わせてなる通常のガゼット袋を得るために施す通常のヒートシールであって、ヒートシールが施された位置で重ね合わされているシートのシーラント層同士が溶着することでその位置でシートが接合するようにしているものであり、上述した袋本体２の下部において、正面シート４と背面シート５との袋内方側となる面が直接相対している部分でこの正面シート４と背面シート５とが接合され、正面シート４と横マチシート６との袋内方側となる面が直接に相対している部分や、背面シート５と横マチシート６との袋内方側となる面が直接に相対している部分でも接合が行なわれ、後述する袋本体２の上部や側部でのヒートシールにおいても同じである。なお、袋本体２の上部、下部での横マチシート６の外方側となる面が互いに相対する部分での接合は公知の方法により溶着される。
【００３０】
（袋本体の側部）
袋本体２の側部においても袋高さ方向に沿ってヒートシールして正面シート４の側辺と横マチシート６の側辺とを接合し、また背面シート５の側辺と横マチシート６の側辺とを接合して側部シール部１０にて閉じていて、これにより袋周方向にシートを繋いでなる袋胴部が形成されている。
【００３１】
（袋本体の上部）
袋本体２の上部は図示されているようにこの袋本体２の上辺部９の中央にして上記注出口栓３が取り付けられていて、直接に相対する正面シート４と背面シート５との間に注出口栓３を挟み込むようにして溶着している。そして上辺部９における注出口栓３の取付部分側から袋本体２の左右の側辺部（側部シール部１０）に向けて下り傾斜した方向に沿ってヒートシールしてなる上部シール部１１が前記取付部分に連続して形成されており、前記注出口栓３の取付部分を含む上部シール部１１によって袋本体２の上部が閉じられている。注出口栓３の取付部分を含んで、さらに図３に示すように二つ折りした横マチシート６を間に位置させた状態で正面シート４と背面シート５とをヒートシールしてなるこの上部シール部１１で閉じた袋本体２の上部も、収容物の充填により上記袋底面と同じく略平面の広がりを持つ袋天面が形成可能とされている。
【００３２】
袋本体２の上部において上記注出口栓３の取付部分の両側には、袋本体２での上記傾斜した上部シール部１１に連続するシート重ね合わせ部１２が位置している。このシート重ね合わせ部１２は、上部シール部１１によって袋本体２の収容部分から区分された部分であって、正面シート４と背面シート５とこの両シート４、５の間に二つ折りして配置した横マチシート６とからなるものであり、シート重ね合わせ部１２の上縁部分に沿って上記注出口栓３を溶着した取付部分の延長線上となるように連続してヒートシールが施され、上述したように横マチシート６同士が相対する面では溶着されている。
【００３３】
（手掛け帯状部）
本実施の形態での手掛け付きガゼット袋１では、図示されているように袋本体２の上部側に、上記注出口栓３の取付部分の近傍となる高さ位置にして幅方向に亘る手掛け帯状部１３を有していて、この部分を利用して袋全体を持ち上げることができ、充填されたガゼット袋１を運び易くなるように図られている。
【００３４】
上記手掛け帯状部１３は、上部シール部１１に交差する位置での袋本体２の袋幅方向に亘って、図３に示すように正面シート４をＺ状に折り返してなるものであって、袋本体２の外方に重ねられている。そしてこの手掛け帯状部１３は、上部シール部１１に交差する位置の谷折りのシート折り返し部１４から袋本体２の下部側に折り返されている袋本体側シート１５と、袋本体側シート１５の下端の山折りのシート折り返し部１６から袋本体２の上部側に折り返されている外方側シート１７とが重ね合わされたものであり、前記外方側シート１７を谷折りのシート折り返し部１４に対応する領域までとし、このシート折り返し部１４に対応する部分を経た後に袋本体２の上部までに達する正面シート４としている。（図３参照）
【００３５】
袋本体２と手掛け帯状部１３との境界部分は熱溶着した部分で仕切られていて、袋本体２の内側の収容空間と手掛け帯状部１３の内側の空間とが繋がらないようにしている。具体的には、袋本体側シート１５でのシート折り返し部１４に沿う手掛け帯状部基端部分（シーラント層側の面）と、外方側シート１７でのシート折り返し部１４に対応する箇所に沿う手掛け帯状部基端部分（シーラント層側の面）とを、袋幅方向に亘る帯状にしてヒートシールして接合しており、このヒートシールよりなる仕切りシール部１８によって袋本体２と手掛け帯状部１３とを仕切り、また手掛け帯状部１３の基端部分の剛性を高めるようにしている。
【００３６】
手掛け帯状部１３は全体がヒートシールされるわけではなく、上部シール部１１に対応する箇所に挟まれた領域、即ち、袋本体２の収容部分に対応する箇所についてはヒートシールが施されず、柔軟性を維持するように図っている。
【００３７】
上記手掛け帯状部１３の両端部側の部分それぞれはシート重ね合わせ部１２に重ね合わされて固定されていて、図３は手掛け帯状部１３の端部側の部分とこの端部側の部分を重ね合わせて固定しているシート重ね合わせ部１２との重ね合わせ状態を断面で示し、また、手掛け帯状部１３の端部とシート重ね合わせ部１２との固定部１９を示している。そして、図示されているように、手掛け帯状部１３の端部側の部分における外方側シート１７とシート重ね合わせ部１２の背面シート５との間には、手掛け帯状部１３の袋本体側シート１５と正面シート４と二つ折りの横マチシート６とが位置している。図３の断面において符号ａはシーラント層の面が相対してヒートシールされた接着部位を示し、符号ｂはシーラー或いは他の溶着装置によって接合された部位を示している。
【００３８】
手掛け帯状部１３の袋本体側シート１５と正面シート４と二つ折りの横マチシート６とには透孔２０が開口されていて、外方側シート１７と背面シート５とが前記透孔２０を通して直接にヒートシールして固定部１９が構成され、手掛け帯状部１３が前記固定部１９の部分でシート重ね合わせ部１２に固定されている。そして、シート重ね合わせ部１２に固定することで、この固定された端部間（固定部１９間）の手掛け帯状部１３と袋本体２との間に、袋本体２の下部側が開いて手先を差し入れ可能にした手掛けポケット部２１が形成され、この手掛けポケット部２１を袋本体２における注出口栓３への収容物送り込み集中部２２に対応位置させている。
【００３９】
収容物送り込み集中部２２は袋本体２の収納空間での注出口栓３に近接した部分であり、上部シール部１１にて袋本体２の上部における収容空間を、注出口栓３の収容空間に臨む流入口に応じて狭めて形成されたものである。
【００４０】
本手掛け付きガゼット袋１では上記手掛け帯状部１３を有し、この手掛け帯状部１３にて手先を差し入れる手掛けポケット部２１を形成しているので、その手掛けポケット部２１に手先を差し入れるようにして手掛け帯状部１３に手を掛けることで、充填されて重くなっている場合で確実に持ち上げることができ、ガゼット袋１の取り扱いや運搬が容易となる。
【００４１】
また、手掛けポケット部２１が収容物送り込み集中部２２に対応しているので、手掛けポケット部２１に手先を差し入れるとともに袋本体２の下部を他方の手で支えるなどしてガゼット袋全体を傾けて注出口栓３を下側にすることで収容物が注ぎ出されるようになり、注出口栓３の向きも定め易く安定した流れにして収容物を注出できるとともに、収容空間に注ぎ残しが生じ難くなる。
【００４２】
上記手掛けポケット部２１における手掛け帯状部１３には取っ手２３が切り込み成形されていて、この取っ手２３の部分に指を通すことで手掛け帯状部１３に対する手先の掛かり度合が向上し、より確実にこの手掛け付きガゼット袋１を取り扱えるようになる。
【００４３】
また図示されているように袋本体２の下部には下部シール部８の位置から袋本体の高さ方向下方に向けて延設してなる延設部２４があり、この延設部２４での袋本体２の中心線を通る位置にして取っ手２５が切り込み形成されている。本実施の形態での手掛け付きガゼット袋１で収容物を注出する際には、袋本体２の下部の取っ手２５にも他方の手を掛けて下部を支えながら引き上げることができ、ガゼット袋１の傾いた姿勢が安定して注出の操作が一層簡単に行なえるように設けられている。
【００４４】
上記実施の形態においては手掛け帯状部１３に取っ手２３を切り込み形成しているが、手掛け帯状部１３への手掛けの状態を良好にする方法は切り込みの取っ手である必要はない。例えば図４に示すように手掛け帯状部１３の上記シート折り返し部１６側に偏倚した位置でこの手掛け帯状部１３の長さ方向に沿うようにして空気を封入した膨らみ部２６を設けるようにすることも良好である。
【００４５】
また上記実施の形態では、手掛け帯状部１３が袋本体２の下部側に向けた状態で袋本体２に重ねられているものとして説明したが、手掛け帯状部１３は袋本体２の上部側に向けた状態で袋本体２に重ねられているものとであってもよい（図５）。そして、手掛け帯状部１３が袋本体２の上部側に向いて袋本体２に重ねられている場合でも、上述した実施の形態と同じように両端部のシート重ね合わせ部に対する固定、手掛けポケット部の形成、取っ手の切り込み形成、膨らみ部の形成は同様に行なえるものである。
【００４６】
（モニター評価）
つぎにスタンディングパウチ形態の包装袋と、ガゼットタイプであって袋上部の両隅の三角状部分に把手孔を開口した包装袋と、同じくガゼットタイプであって本発明よりなるガゼット袋とを作製し、それぞれに４リットルの水を入れて、積載能力、自立性、運び易さ、注ぎ易さ、残液の程度に対してのモニター評価を実施した。それぞれの包装袋は、ドライラミネート法によるＰＥＴ（ポリエチレンテレフタレートフィルム１２μｍ）／接着剤層／ＯＮＹ（二軸延伸ナイロンフィルム１５μｍ）／接着剤層／ＬＬＤＰＥ（直鎖状低密度ポリエチレンフィルム１５０μｍ：シーラント層）の構成からなる積層シートを用いて作製した。モニター評価を表１として以下に示す。
【００４７】
【表１】
0006651740.tif 000002
【００４８】
モニター評価の結果から、本実施の形態からなるガゼット袋が最も注ぎ易さと積載効率の両点で良好であり、総合的に優れていることが判った。
【００４９】
また、プラスチックボトルと本実施の形態からなるガゼット袋とのそれぞれに４リットルの水を入れて、注ぎ試験を実施した。注ぎ試験の内容はシンクに対しての注ぎ時間を計測するものであり、その注ぎ時間を比較した。その結果を以下の表２に示した。
【００５０】
【表２】
0006651740.tif 000003
【００５１】
プラスチックボトルは注ぎ出すときに空気が入って脈動を起こすが、このプラスチックボトルと比較して、本実施の形態によるガゼット袋は、水が注ぎ出されながら袋本体が収縮していくために脈動を起こさず、注ぎ時間が短いことが判った。よって、本発明の手掛け付きガゼット袋はブラスチックボトルより短時間で収容物を注出できるという効果も奏する。
【符号の説明】
【００５２】
１…手掛け付きガゼット袋
２…袋本体
３…注出口栓
４…正面シート
６…横マチシート
７…袋本体２の下辺部
９…袋本体２の上辺部
１０…側部シール部
１１…上部シール部
１２…シート重ね合わせ部
１３…手掛け帯状部
１５…袋本体側シート
１７…外方側シート
１８…仕切りシール部
１９…固定部
２０…透孔
２１…手掛けポケット部
２２…収容物送り込み集中部
２３、２５…取っ手
２６…膨らみ部
【図１】
0006651740.tif 000004
【図２】
0006651740.tif 000005
【図３】
0006651740.tif 000006
【図４】
0006651740.tif 000007
【図５】
0006651740.tif 000008
【図６】
0006651740.tif 000009